(57)【要約】【解決手段】照合サーバ２に備える印影表示手段（照合ディスプレイ）２−１の照合印影表示枠のサイズをＡと、被照合印影のサイズをＢと、登録印影のサイズをＣと、それぞれ定め、（Ｂ／Ａ）＝（Ｃ／Ａ）＝Ｋ（所定値）までＡ及びＢの値を自動的に拡大して上記照合ディスプレイに表示する。【効果】実物が小さい印鑑であっても所定の大きさまで拡大して表示されるので印影を細部まで詳細に照合することが容易になる。【選択図】        図１
2004164101.tif 000002
【特許請求の範囲】
【請求項１】
顧客の被照合印影と、予め登録している前記顧客の登録印影とを照合ディスプレイに表示して照合する印鑑照合方法であって、
前記照合ディスプレイの照合印影表示枠のサイズと、前記被照合印影のサイズと、前記登録印影のサイズとを、それぞれ定め、
前記被照合印影の実物大に関わらず印影の細部照合を可能とすべく、所定値まで前記照合印影表示枠のサイズ及び前記被照合印影のサイズを拡大して前記照合ディスプレイに表示することを特徴とする印鑑照合方法。
【請求項２】
請求項１に記載の印鑑照合方法において、
前記被照合印影及び前記登録印影の向きを所定の角度回転させた後、前記照合印影表示枠のサイズ及び前記被照合印影のサイズの値を拡大・縮小することを特徴とする印鑑照合方法。
【請求項３】
請求項１に記載の印鑑照合方法において、
前記照合印影表示枠のサイズは、前記照合印影表示枠のＹ軸方向のサイズであり、
前記被照合印影のサイズ及び登録印影のサイズは、印影の形状毎に定められる所定の方向のサイズであることを特徴とする印鑑照合方法。
【請求項４】
請求項１に記載の印鑑照合方法において、
前記所定値をＫ、前記照合印影表示枠のサイズをＡ、前記被照合印影のサイズをＢ、前記登録印影のサイズをＣと、それぞれ定めると、
Ｋ＝（Ｂ／Ａ）＝（Ｃ／Ａ）であることを特徴とする印鑑照合方法。
【請求項５】
顧客の被照合印影を取得する端末装置と、予め登録してある前記顧客の登録印影との照合を可能にする照合サーバとを備える印鑑照合システムであって、
前記照合サーバは、
前記顧客の被照合印影と前記顧客の登録印影とを照合印影表示枠内に表示する印影表示手段を有し、
前記照合印影表示枠のサイズと、前記被照合印影のサイズと、前記登録印影のサイズとを、それぞれ定め、前記被照合印影の実物大に関わらず印影の細部照合を可能とすべく、所定値まで前記照合印影表示枠のサイズ及び前記被照合印影のサイズを拡大して前記照合印影表示枠に表示する印影自動形状表示補正手順とを含むことを特徴とする印鑑照合システム。
【請求項６】
請求項５に記載の印鑑照合システムにおいて、
前記印影自動形状表示補正手順は、
前記照合印影表示枠のサイズと、前記被照合印影のサイズと、前記登録印影のサイズとを、それぞれ定め、前記被照合印影の実物大に関わらず印影の細部照合を可能とすべく、所定値まで前記照合印影表示枠のサイズ及び前記被照合印影のサイズを拡大して前記照合印影表示枠に表示することを可能とするコンピュータプログラムであって、コンピュータ読み取り可能な媒体であることを特徴とする印鑑照合システム。
【発明の詳細な説明】
【０００１】
【発明の属する技術分野】
本発明は、金融機関等で印鑑の照合に用いられる印鑑照合方法及びそのシステムに関する。
【０００２】
【従来の技術】
近年金融機関等では、帳票処理の省力化が強力に押し進められている。この帳票処理の中で印鑑照合処理は、正確度が要求される最も難しい処理の１つとされている。従来の印鑑照合システムでは、以下のようにして印鑑照合処理が実行されていた。
【０００３】
（１）集積された多数枚の帳票を処理している帳票処理担当者が端末装置に帳票をセットすると、端末装置に備えるスキャナによって印鑑のイメージが読み取られる。この印鑑のイメージは照合サーバへ送られる。
（２）帳票処理担当者は、端末装置の入力キーを打ち込んで上記帳票に記入されている、顧客の店番、科目、口座番号、等の口座情報を入力する。この口座情報は、印鑑サーバへ送られる。
（３）この口座情報に基づいて、予め印影データベースに登録されている顧客の登録印影が検出される。その登録印影が照合サーバへ返信される。
（４）照合サーバは、上記スキャナが読み取った印鑑の印影（被照合印影）とデータベースから検出された印影（登録印影）とを照合ディスプレイ内に設けられた照合印影表示枠内に表示する。照合サーバに配置されているオペレータが両印影を照合し、その結果を端末装置を介して帳票処理担当者へ知らせる。
【０００４】
【発明が解決しようとする課題】
上記従来の技術には以下に記す解決すべき課題が残されていた。
・課題１
上記照合印影表示枠上に表示される印鑑の印影（被照合印影及び登録印影）が、印鑑の実物大に応じた大きさで再現されるため、実物が小さい印鑑の印影を細部までオペレータが詳細に照合することは、困難であった。
・課題２
照合印影表示枠上に表示される印影を拡大（又は縮小）するための機能が付加されてはいるが、オペレータの判断によって手動で拡大縮小するため、拡大縮小に要する時間が長くかかり過ぎていた。
【０００５】
【課題を解決するための手段】
本発明は以上の点を解決するため次の構成を採用する。
〈構成１〉
顧客の被照合印影と、予め登録している上記顧客の登録印影とを照合ディスプレイに表示して照合する印鑑照合方法であって、上記照合ディスプレイの照合印影表示枠のサイズと、上記被照合印影のサイズと、上記登録印影のサイズとを、それぞれ定め、上記被照合印影の実物大に関わらず印影の細部照合を可能とすべく、所定値まで上記照合印影表示枠のサイズ及び上記被照合印影のサイズを拡大して上記照合ディスプレイに表示することを特徴とする印鑑照合方法。
【０００６】
〈構成２〉
構成１に記載の印鑑照合方法において、上記被照合印影及び上記登録印影の向きを所定の角度回転させた後、上記照合印影表示枠のサイズ及び上記被照合印影のサイズの値を拡大・縮小することを特徴とする印鑑照合方法。
【０００７】
〈構成３〉
構成１に記載の印鑑照合方法において、上記照合印影表示枠のサイズは、上記照合印影表示枠のＹ軸方向のサイズであり、上記被照合印影のサイズ及び登録印影のサイズは、印影の形状毎に定められる所定の方向のサイズであることを特徴とする印鑑照合方法。
【０００８】
〈構成４〉
構成１に記載の印鑑照合方法において、上記所定値をＫ、上記照合印影表示枠のサイズをＡ、上記被照合印影のサイズをＢ、上記登録印影のサイズをＣと、それぞれ定めると、Ｋ＝（Ｂ／Ａ）＝（Ｃ／Ａ）であることを特徴とする印鑑照合方法。
【０００９】
〈構成５〉
顧客の被照合印影を取得する端末装置と、予め登録してある上記顧客の登録印影との照合を可能にする照合サーバとを備える印鑑照合システムであって、上記照合サーバは、上記顧客の被照合印影と上記顧客の登録印影とを照合印影表示枠内に表示する印影表示手段を有し、上記照合印影表示枠のサイズと、上記被照合印影のサイズと、上記登録印影のサイズとを、それぞれ定め、上記被照合印影の実物大に関わらず印影の細部照合を可能とすべく、所定値まで上記照合印影表示枠のサイズ及び上記被照合印影のサイズを拡大して上記照合印影表示枠に表示する印影自動形状表示補正手順とを含むことを特徴とする印鑑照合システム。
【００１０】
〈構成６〉
構成５に記載の印鑑照合システムにおいて、上記印影自動形状表示補正手順は、上記照合印影表示枠のサイズと、上記被照合印影のサイズと、上記登録印影のサイズとを、それぞれ定め、上記被照合印影の実物大に関わらず印影の細部照合を可能とすべく、所定値まで上記照合印影表示枠のサイズ及び上記被照合印影のサイズを拡大して上記照合印影表示枠に表示することを可能とするコンピュータプログラムであって、コンピュータ読み取り可能な媒体であることを特徴とする印鑑照合システム。
【００１１】
【発明の実施の形態】
以下、本発明の実施の形態を具体例を用いて説明する。
〈具体例の構成〉
上記従来の技術では、照合印影表示枠上に再現される印鑑の印影（被照合印影及び登録印影）が、印鑑の実物大に応じた大きさで再現されるのに対して、本発明では、照合印影表示枠の大きさに応じて印鑑の印影（被照合印影及び登録印影）が自動的に拡大（又は縮小）される。従って、実物が小さい印鑑であっても所定の大きさまで拡大して表示されるので印影を細部まで詳細に照合することが容易になる。更に、かかる手順が自動的になされるので拡大縮小に要する時間が短くなる。
【００１２】
図８は、印鑑照合システムのシステム構成図である。
図より、本発明の印鑑照合システムは、端末装置１と、照合サーバ２と、印鑑サーバ３と、印影データベース４とを備え、これらの各構成部分はネットワーク回線１０に接続されシステム化されている。
各構成部分の詳細について他の図を用いて説明する。
【００１３】
図１は、印鑑照合システムのブロック図である。
本発明による印鑑照合方法を実行するための印鑑照合システムを表している。図１より、本発明による印鑑照合方法を実行するための印鑑照合システムは、端末装置１と、照合サーバ２と、印鑑サーバ３と、印影データベース４とを備える。
【００１４】
端末装置１は、帳票を発行した顧客の被照合印影のイメージを採取すると共に上記顧客の口座情報を入力して上記被照合印影を特定し、この被照合印影と上記顧客の登録印影との照合依頼を可能にする端末機器であり、通常パーソナル・コンピュータが用いられ、イメージ入力手段（スキャナ）１−１と、口座情報入力手順１−２と、照合結果表示手順とを備える。以下に各手段及び手順について説明する。ここで口座情報とは、店番、科目、口座番号等を指している。
【００１５】
イメージ入力手段１−１は、帳票処理担当者が照合を希望する帳票をセットして印影を採取するスキャナである。印影は勿論のことＭＩＣＲ文字（磁性インクで記載された文字）やソフトウェアによるＯＣＲ文字をも認識可能なスキャナが用いられる。ここで採取されたイメージは被照合印影イメージ情報として後記照合サーバ２へ送信される。
【００１６】
口座情報入力手順１−２は、帳票処理担当者が顧客（上記帳票の発行者）を特定するために、帳票に記載されている店番、科目、口座番号等の、いわゆる口座情報を端末装置１のキーボードから打ち込むことによって実行される手順である。勿論帳票処理担当者がキーボードから打ち込むことなくスキャナが帳票から文字認識ツール等を用いて直接読み込む手順であっても良い。
【００１７】
照合結果表示手順１−３は、被照合印影と登録印影との照合結果をディスプレイ上に表示して帳票処理担当者に知らせる手順である。
上記各種の手段及び手順を備える端末装置１は、口座情報、被照合印影イメージ情報とを含む、印鑑照合依頼信号（１）を後記照合サーバ２へ送信し、判定結果信号（４）の返信を受ける。
【００１８】
照合サーバ２は、上記端末装置１から印鑑照合依頼信号（１）を受け入れると、後記印鑑サーバ３へ、上記口座情報を含む登録印影取得依頼信号（２）を送信する部分である。又、印鑑サーバ３から登録印影イメージ情報を含む登録印影信号（３）を受け入れて、オペレータが、登録印影と被照合印影とを照合することを可能にする部分でもある。更に、その照合結果を表す判定結果信号（４）を端末装置１へ返信する部分でもある。以上の機能を果たすために、印影表示手段（照合ディスプレイ）２−１と、合否判定手順２−２と、照合手順２−３と、印影自動形状表示補正手順２−４とを備える。以下に各手段及び手順について説明する。
【００１９】
印影表示手段（照合ディスプレイ）２−１は、上記イメージ入力手段から上記被照合印影のイメージ情報を受け入れ、上記印鑑サーバ３から上記登録印影のイメージ情報を受け入れ、照合ディスプレイ上に被照合印影と登録印影とを表示する手段である。通常ＰＣ（パーソナル・コンピュータ）が用いられる。他の図を用いて印影表示手段を詳細に説明する。
【００２０】
図２は、印影表示手段の表示例を表す図である。
図２に示すように印影表示手段（照合ディスプレイ）には、帳票イメージ表示枠２１と、登録印影表示枠２３と、被照合印影表示枠２５と、照合印影表示枠２７と、その他の機能表示枠３０とが設けられている。
【００２１】
帳票イメージ表示枠２１には、帳票２２のイメージが表示される。登録印影表示枠２３には、登録印影２４が表示される。被照合印影表示枠２５には、被照合印影２６が表示される。照合印影表示枠２７には、登録印影２４と被照合印影２６とが後記照合手順２−３で説明する各種ツール等を用いて照合しやすい形に調整された照合印影が表示される。更に口座番号枠２９と、その他の機能表示枠３０と、探索ボタン３１が表示されている。
再度、図１に戻って本発明による印鑑照合方法を実行するための印鑑照合システムの説明を続ける。
【００２２】
合否判定手順２−２は、通常オペレータが後記照合手順２−３に記載の各種ツールを用いて被照合印影と登録印影との照合一致又は不一致を判定する手順であるが、両印影のイメージ一致率をＰＣで算出し、その結果に基づいて判定できるようにしても良い。
【００２３】
照合手順２−３は、オペレータが、ディスプレイ上に表示された被照合印影と登録印影とを照合判定しやすくするための各種ツールである。例えば、登録印影と被照合印影とを画面上で重ね合わせて表示し、重ね合わせによる差分確認を支援する差分表示ツール、登録印影と被照合印影とを画面上に交互に表示し、照合を支援する交互表示ツール、登録印影と被照合印影を画面上に１／２、１／４、スリット、十字の接合面にて接合イメージを表示し、接合面による確認を支援する接合表示ツール等である。
【００２４】
印影自動形状表示補正手順は、上記照合印影表示枠２７（図２）のサイズをＡと、上記被照合印影のサイズをＢと、上記登録印影のサイズＣと、それぞれ定めたときに、（Ｂ／Ａ）と、（Ｃ／Ａ）との値を予め定めてある所定値（Ｋ）まで自動的に拡大（又は縮小）して表示する手順である。この手順によって実物が小さい印鑑であっても所定の大きさまで拡大して表示されるのでオペレータが印影を細部まで詳細に照合することが容易になる。更に、かかる手順が自動的になされるので拡大縮小に要する時間が短くなる。
他の図を用いてこの手順を詳細に説明する。
【００２５】
図３は、印影自動形状表示補正手順の説明図である。
（ａ）は、印影が円の場合、（ｂ）は、印影が楕円の場合、（ｃ）は、印影が角印の場合を、それぞれ表している。
図より、照合印影表示枠のＹ軸方向のサイズをＡとする。被照合印影のサイズＢ、及び登録印影のサイズＣは、印影の形によって異なる。
【００２６】
一例として、印影が円の場合には、その直径ｂを被照合印影のサイズＢ、及び登録印影のサイズＣと定める。印影が楕円の場合には、その長径ｃを被照合印影のサイズＢ、及び登録印影のサイズＣと定める。印影が角印の場合には、そのＹ軸方向の辺を被照合印影のサイズＢ、及び登録印影のサイズＣと定める。
【００２７】
又、印影がθ度傾いている場合も発生しうる。かかる場合には印影をθ度回転補正した後、印影自動形状表示補正手順が実行される。
尚、この傾きの検出は、公知の技術であって、照合サーバ２に従来より備える印鑑照合エンジン（図示しない）が容易にθ度を検出する。又、印影をθ度回転補正する技術は公知の画像処理方法によって容易に実行される。
再度、図１に戻って本発明による印鑑照合システムの印鑑照合方法を実行するための印鑑照合システムの説明を続ける。
【００２８】
印鑑サーバ３は、上記照合サーバ２から、上記口座情報を含む登録印影取得依頼信号（２）を受け入れると、後記印影データベースを検索し、その検索結果である登録印影イメージ情報を含む登録印影信号（３）を照合サーバ２へ返信する部分である。以上の機能を果たすために、口座情報特定手順３−１を備える。以下に、この手順について説明する。
【００２９】
口座情報特定手順３−１は、店番、科目、口座番号、によって登録印影を管理する手順である。この手順を用いて、印鑑サーバ３は、照合サーバから上記口座情報を含む登録印影取得依頼信号（２）を受け入れたとき、後記印影データベース４中の格納アドレスを検索して登録印影を読み出して、登録印影イメージ情報を含む登録印影信号（３）を照合サーバ２へ返信する。
【００３０】
印影データベース４は、顧客の登録印影を予め格納しておく部分である。この機能を果たすために、印影格納手順４−１を備える。
印影格納手順４−１は、顧客の印影を上記口座情報特定手順３−１に対応させて、店番、科目、口座番号、等に分類して格納する手順である。
【００３１】
〈具体例の動作〉
次にフローチャートを用いて具体例の動作について説明する。
図４は、本発明による印鑑照合方法のフローチャート（その１）である。この図は、端末装置１（図１）の動作を表すフローチャートである。フローチャートのステップＳ１からステップＳ４に従って端末装置１（図１）の動作を説明する。
【００３２】
ステップＳ１
帳票処理担当者がイメージ入力手段（スキャナ）１−１（図１）に帳票をセットすると動作が開始され、帳票中に押印されている印影のイメージが採取される（イメージ入力手段１−１（図１））。
【００３３】
ステップＳ２
帳票処理担当者が顧客（上記帳票の発行者）を特定するために、帳票に記載されている店番、科目、口座番号等を端末装置１（図１）のキーボードから打ち込む。勿論帳票処理担当者がキーボードから打ち込むことなく上記イメージ入力手段１−１のスキャナが、帳票から文字認識して直接読み込んでも良い（口座情報入力手順１−２（図１））。
【００３４】
ステップＳ３
端末装置１（図１）は、口座情報、種別情報、被照合印影イメージ情報とを含む、印鑑照合依頼信号（１）を照合サーバ２（図１）へ送信し、判定結果信号（４）の返信を待つ。
【００３５】
ステップＳ４
端末装置１（図１）は、照合サーバ２（図１）から判定結果信号（４）を受け入れてディスプレイ上に表示し（照合結果表示手順１−３（図１））印鑑照合処理のフローを終了する。
次に、照合サーバ２（図１）の動作について説明する。
【００３６】
図５は、本発明による印鑑照合方法のフローチャート（その２）である。
フローチャートのステップＳ１１からステップＳ２６に従って照合サーバ２（図１）の動作を説明する。
【００３７】
ステップＳ１１
照合サーバ２（図１）は、端末装置１（図１）から口座情報、被照合印影イメージ情報とを含む、印鑑照合依頼信号（１）を受け入れる。
【００３８】
ステップＳ１２
照合サーバ２（図１）は、印鑑照合依頼信号（１）によって、口座情報を受け入れるとステップＳ１３へ進む。又、印鑑照合依頼信号（１）によって被照合印影イメージ情報を受け入れるとステップＳ１４へ進む。
【００３９】
ステップＳ１３
照合サーバ２（図１）は、端末装置１（図１）から印鑑照合依頼信号（１）によって口座情報を受け入れると、登録印影取得依頼信号（２）を印鑑サーバ３へ送信して印鑑サーバ３からの登録印影信号（３）の受け入れを待つ。
【００４０】
ステップＳ１４
照合サーバ２（図１）は、被照合印影イメージ情報から印影の形状を判断し、形状が角印の場合にはステップＳ１５へ進み、角印でない場合にはステップＳ１７へ進む。
【００４１】
ステップＳ１５
照合サーバ２（図１）は、被照合印影イメージ情報から印影の傾き角θ度を検出し、印影をθ度回転補正する。
ステップＳ１６
照合サーバ２（図１）は、角印のＹ軸方向の辺のサイズｄを検出し（ｄ／Ａ（照合印影表示枠のＹ軸方向のサイズ））＝Ｋを満足するまでｄを拡大（縮小）し、ステップＳ２１へ進む。
【００４２】
ステップＳ１７
照合サーバ２（図１）は、被照合印影イメージ情報から印影の形状を判断し、形状が楕円の場合にはステップＳ１８へ進み、楕円でない場合に（この場合は印影が円）はステップＳ２０へ進む。
【００４３】
ステップＳ１８
照合サーバ２（図１）は、被照合印影イメージ情報から印影の傾き角θ度を検出し、印影をθ度回転補正する。
ステップＳ１９
照合サーバ２（図１）は、楕円の長径ｃを検出し（ｃ／Ａ）＝Ｋを満足するまでｃを拡大（縮小）し、ステップＳ２１へ進む。
【００４４】
ステップＳ２０
照合サーバ２（図１）は、円の直径ｂを検出し（ｂ／Ａ）＝Ｋを満足するまでｂを拡大（縮小）し、ステップＳ２１へ進む。
以上説明したステップＳ１６、ステップＳ１９、ステップＳ２０が印影自動形状表示補正手順２−４（図１）である。
【００４５】
ステップＳ２１
照合サーバ２（図１）の印影表示手段（照合ディスプレイ）２−１（図１）は、印影自動形状表示補正手順２−４（図１）を経た被照合印影を受け入れて照合ディスプレイに表示する。同様に印影自動形状表示補正手順２−４（図１）を経た登録印影（後記）を受け入れて照合ディスプレイに表示する。
【００４６】
ステップＳ２２
被照合印影と登録印影の双方が印影表示手段（照合ディスプレイ）２−１の上に表示されるとステップＳ２３へ進む。
ステップＳ２３
オペレータは、上記照合手順２−３（図１）の各種ツールを用いて被照合印影と登録印影とを対比して照合する。両印影の照合が一致したときはステップＳ２５へ進み、両印影の照合が一致しなかったときはステップＳ２６へ進む。
【００４７】
ステップＳ２５
照合一致の判定結果信号（４）が照合サーバ２から端末装置１へ返信される。
ステップＳ２６
照合不一致の判定結果信号（４）が照合サーバ２から端末装置１へ返信される。
次に、印鑑サーバ３（図１）の動作について説明する。
【００４８】
図６は、本発明による印鑑照合方法のフローチャート（その３）である。フローチャートのステップＳ３１からステップＳ３４に従って印鑑サーバ３（図１）の動作を説明する。
【００４９】
ステップＳ３１
印鑑サーバ３（図１）は、口座情報を含む登録印影取得依頼信号（２）を受け入れる。
ステップＳ３２
印鑑サーバ３（図１）は、口座情報から顧客を特定する。
【００５０】
ステップＳ３３
印鑑サーバ３（図１）は、印影データベース４（図１）を検索し、顧客の登録印影を読み出す。
ステップＳ３４
印鑑サーバ３（図１）は、検索結果である登録印影イメージ情報を含む登録印影信号（３）を照合サーバ２（図１）へ返信しステップＳ４１へ進む。
【００５１】
図７は、本発明による印鑑照合方法のフローチャート（その４）である。
ステップＳ４１からステップＳ４８に従って、登録印影に対する印影自動形状表示補正手順２−４（図１）について説明する。
【００５２】
ステップＳ４１
照合サーバ２は、登録印影信号（３）を受け入れたとき、その中に登録印影のイメージが含まれている場合にはステップＳ４２へ進み、含まれていない場合にはステップＳ２６（図５）を経て端末装置１（図１）へ照合不一致の判定結果信号（４）が返信される。
【００５３】
ステップＳ４２
照合サーバ２（図１）は、登録印影イメージ情報から印影の形状を判断し、形状が角印の場合にはステップＳ４３へ進み、角印でない場合にはステップＳ４５へ進む。
【００５４】
ステップＳ４３
照合サーバ２（図１）は、被照合印影イメージ情報から印影の傾き角θ度を検出し、印影をθ度回転補正する。
ステップＳ４４
照合サーバ２（図１）は、角印のＹ軸方向の辺のサイズｄを検出し（ｄ／Ａ）＝Ｋを満足するまでｄを拡大（縮小）し、ステップＳ２１へ進む。
【００５５】
ステップＳ４５
照合サーバ２（図１）は、被照合印影イメージ情報から印影の形状を判断し、形状が楕円の場合にはステップＳ４６へ進み、楕円でない場合に（この場合は印影が円）はステップＳ４８へ進む。
【００５６】
ステップＳ４６
照合サーバ２（図１）は、被照合印影イメージ情報から印影の傾き角θ度を検出し、印影をθ度回転補正する。
ステップＳ４７
照合サーバ２（図１）は、楕円の長径ｃを検出し（ｃ／Ａ）＝Ｋを満足するまでｃを拡大（縮小）し、ステップＳ２１へ進む。
【００５７】
ステップＳ４８
照合サーバ２（図１）は、円の直径ｂを検出し（ｂ／Ａ）＝Ｋを満足するまでｂを拡大（縮小）し、ステップＳ２１へ進む。
以上説明したステップＳ４４、ステップＳ４７、ステップＳ４８が印影自動形状表示補正手順２−４（図１）である。
【００５８】
以上の説明では、印影の形状を角型、楕円、円形のみに限定して説明したが、本発明は、この例に限定されるものではない。即ち、例えば多角形等を加えても良い。
尚、上記説明では、印影自動形状表示補正手順２−４を、照合サーバ２に備える固有の構成として説明したが、本発明はこの例に限定されるものではない。即ち、印影自動形状表示補正手順２−４は、フロッピー（登録商標）ディスク等コンピュータ読み取り可能な記録媒体に格納されているコンピュータプログラムであっても良い。
【００５９】
【発明の効果】
以上説明したように本発明による印鑑照合システムの印鑑照合方法では照合印影表示枠の大きさに応じて印鑑の印影（被照合印影及び登録印影）が拡大（又は縮小）される印影自動形状表示補正手順を備えることによって、照合印影表示枠の大きさに応じて印鑑の印影（被照合印影及び登録印影）が拡大（又は縮小）される。従って、実物が小さい印鑑であっても所定の大きさまで拡大して表示されるので印影を細部まで詳細に照合することが容易になるという効果を得る。又、かかる手順が自動的になされるので拡大縮小に要する時間が短くなるという効果を得る。更に、印鑑の形状毎に基準サイズの方向が定められているので、例えば楕円印等の場合に短径を基準にして印影が拡大されて、印影が大きくなりすぎる等の不都合が発生するのを防ぐことができるという効果を有する。
【図面の簡単な説明】
【図１】印鑑照合システムのブロック図である。
【図２】印影表示手段の表示例を表す図である。
【図３】印影自動形状表示補正手順の説明図である。
【図４】本発明による印鑑照合方法のフローチャート（その１）である。
【図５】本発明による印鑑照合方法のフローチャート（その２）である。
【図６】本発明による印鑑照合方法のフローチャート（その３）である。
【図７】本発明による印鑑照合方法のフローチャート（その４）である。
【図８】印鑑照合システムのシステム構成図である。
【符号の説明】
１  端末装置
１−１  イメージ入力手段（スキャナ）
１−２  口座情報入力手順
１−３  照合結果表示手順
２  照合サーバ
２−１  印影表示手段（照合ディスプレイ）
２−２  合否判定手順
２−３  照合手順
２−４  印影自動形状表示補正手順
３  印鑑サーバ
３−１  口座情報特定手順
４  印影データベース
４−１  印影格納手順
【図１】
2004164101.tif 000003
【図２】
2004164101.tif 000004
【図３】
2004164101.tif 000005
【図４】
2004164101.tif 000006
【図５】
2004164101.tif 000007
【図６】
2004164101.tif 000008
【図７】
2004164101.tif 000009
【図８】
2004164101.tif 000010